(57)【要約】      （修正有）【課題】上糸と同量の下糸にすることでわずらわしい従来の糸切れボビンの交換作業を不用にしようとするものである。【解決手段】固定内釜の周囲をまわる外側回転釜の底部に設置された下糸誘導子に下糸がセットされ糸先は上記固定内釜央部孔から出ている。一方針先にある上糸の小さい輪内に外側回転釜の先端が通り輪を引掛けながら固定内釜の周囲をまわり上下に分かれて回転してゆく。しかし、固定内釜の底部を通過しようとするが内釜凹部の抵抗を受けて進めない。この時回転釜先端の後部位置にある下糸セットの端部で強制的に押し寄せてゆき、内釜底部を移動させることになり一回転で針の上下運動により引き上げられる。この時、露出して布につながる下糸をからめており、この連続で縫製が可能となる。【選択図】図４
2005028088.tif 000002
【特許請求の範囲】
【請求項１】
１．外側回転釜１，側部に糸引出兼糸掛用変形切欠孔２，内部パーツ固定孔３・３’，回転バランス用切欠部４糸引出用溝５その真下に糸掛用孔６を形成する。２．バネ固定用ネジ孔７・７’，段差付中央孔８，錐形溝９を形成した円形板１０の上にネジＮによる下糸摺動調整用バネ１１を付設する。但し、ネジＮは途中で止めておく。３．固定用ネジ孔１２・１２’，中央孔１３，糸通溝１４，上位凸部１５，糸引出貫通切欠部１６，糸通り溝１７，ネジ孔１８付固定用凸部１９，傾斜部２０，糸リード用凹部２１，固定凸部２２，安定用板状部２３，糸案内切欠部２４を形成した変形凸部付円板２５之と上記円形板のネジ孔部を合致せしめて一体化すると共に糸通り孔２６付磁石２７を嵌着し之を上記回転釜にネジＮにて緊締する。４．糸通過溝２８，回転安定円状凸部２９，水平部３０，傾斜部３１，糸引出し央孔３２，複数の錐形凸部３３，不転用凸部３４，糸誘導用先端部３５，針通過用湾状切欠凹部３６孔付金属板３７のある内側固定釜３８を形成する。５．軸芯に糸通孔を穿った連動軸Ｒを形成する。但し、該連動軸は、平成１５年２月１０日提出の出願番号特願２００３−７２８２９中の「請求項２」を採用している。以上の構成を有するミシンにおける水平釜のボビンレスを可能とせしめた機能の要部。
【請求項２】
先端を鉤状Ｋにした線３９握柄４０をつけた下糸引出棒。
【発明の詳細な説明】
【発明の詳細な説明】
【発明の属する分野】
【０００１】ミシンにおけるボビン周辺に関するものである。
【背景技術】
【０００２】１．既存のミシンは家庭用工業用の如何を問わず、また、各メーカーの通常のミシンはボビンに捲かれた下糸によって縫製が可能となっている。２．然しボビンに捲かれた下糸は限られており、工業用の場合すぐに下糸切れになってしまい、その都度交換というわずらわしく且つ縫製効率の妨げとなっている弱点が伴っていた。
【発明が解消しようとする課題】
【０００３】上記弱点すなわち課題は、ミシンが発明されて以来今日まで変わることのない課題でもあった。しかし、ミシンの理想は上糸と同じ位の長さで縫製できることであると言えると思うし、各メーカーも日夜研究しているであろうとも思う。よって当課題はミシンにとって最も重要であることを意味している。
【課題を達成する為の手段】
【０００４】１．外側回転釜１，側部に糸引出兼糸掛用変形切欠孔２，内部パーツ固定孔３・３，回転バランス用切欠部４糸引出用溝５その真下に糸掛用孔６を形成する。２．バネ固定用ネジ孔７・７，段差付中央孔８，錐形溝９を形成した円形板１０の上にネジＮによる下糸摺動調整用バネ１１を付設する。但し、ネジＮは途中で止めておく。３．固定用ネジ孔１２・１２，中央孔１３，糸通溝１４，上位凸部１５，糸引出貫通切欠部１６，糸通り溝１７，ネジ孔１８付固定用凸部１９，傾斜部２０，糸リード用凹部２１，固定凸部２２，安定用板状部２３，糸案内切欠部２４を形成した変形凸部付円板２５之と上記円形板のネジ孔部を合致せしめて一体化すると共に糸通り孔２６付磁石２７を嵌着し之を上記回転釜にネジＮにて緊締する。４．糸通過溝２８，回転安定円状凸部２９，水平部３０，傾斜部３１，糸引出し央孔３２，複数の錐形凸部３３，不転用凸部３４，糸誘導用先端部３５，針通過用湾状切欠凹部３６孔付金属板３７のある内側固定釜３８を形成する。５．軸芯に糸通孔を穿った連動軸Ｒを形成する。但し、該連動軸は、平成１５年２月１０日提出の出願番号特願２００３−７２８２９中の
【請求項２】
を採用している。以上の構成を有するミシンにおける水平釜のボビンレスを可能とせしめた機能の要部。
【構成パーツの役割及び作用】
【０００５】１．図３の外側回転釜１の側部に形成された変形切欠部２は下糸引き出しと共に下糸摺動を適正にする為のものであり、切欠溝５は同じく下糸の通過抵抗をなくすためのもの、央部の磁石は下に記する吸着用である。２．図７は上記外側回転釜に付設固定する下糸を誘導するものであって、図４のように図５下位の要領で固定されており之に表側図１裏側図２の形状をなした不回転内釜３８が図４のように嵌合されている。但し、図４では見えないが、凸部が外周にありストッパーＳによってわずかな摺動いわゆるあそびを持たせて不回転となっている。更に、該内釜３８は、中央部に緊着された金属板３７と磁石の吸着作用で容易に離脱することはない。但し、磁石と金属とにはわずかに間隔がある。３．下糸の通し方の手順として不転の内釜３８を外すと共に先端をヒヒ形になった下糸引出線（但し、その引出具は平成３年２月出願の「特願２００３−７２８２９」の中にある
【請求項４】
の部を援用している）を上から通しミシン外まで引出線先端を引き出し、ヒヒ形先端に同じくミシン外部に設置されている下糸の先端を通し之を引き戻す。引き出された糸先は１５ｃｍ位として、次は外側回転釜側部にある変形切欠部２の外側且つ右側から（
【請求項２】
に示す）鉤先のある先端を通し上に出ている下糸を引掛けて引き戻し、側部外に引き出し、そのまま左側に先鉤移動させてはずしたら糸を引っ張る。次に糸引出溝１６の上から同じように糸を引き出し、之を円形板８錐形溝９にそってまわし、下糸調整バネ１１の下を通し、更に不回転内釜の孔に通し、之を外側回転釜１にセットする。下糸は各溝コース中に納まって下糸通しは完了する。４．始動と共に針先を通っている上糸の移動形状と下糸の移動形態につき説明する。この場合既存する下糸は内釜中に納まったボビンから出た下糸と、内釜底部を廻り込む上糸の一方が一回転と共に、上記内釜をくぐり抜ける要領結果と内釜上面を通る上糸の一回転で布につながる下糸をからめその連続で縫製が可能となる方式のものであった。５．当発明の下糸は外部から引き入れている。その為に簡単に上記ボビンから引き出すのと同じ条件を作り出すことは不可能である。６．図６に示すように下糸の位置は先端より１０ｍｍほど後にあるから上糸を引掛けて、進む先端の後を追いかけるようについて廻って行く。そして、不回転の先端的凸部３５の位置まで進むと上糸の一本は遮断を受けて下方へ誘導され内釜底部位置に来て進行がにぶる。しかし、回転を進める先端の後ろからついて来ている下糸を包さように形成された部分の上部がにぶっている底部の糸を強制的に押し寄せて行き半回転した位置すなわち先端に掛った糸は針先へ戻る作用ではずれて速度をゆるめながら一回転の位置まで来る針先が上面を廻り、来た一本と底部を廻った一本を同時に引き戻してゆく。この時、布につながった下糸をからげており、この連続で既存のボビンによる下糸同様に縫製が可能となる。
【発明の効果】
【０００６】縫製作業において、糸切れボビンの交換はわずらわしく且つ面倒な作業であった。この作業がなくなることから得られるメリットは、このことを例えて言えば、昔の各駅停車の鈍行列車と現在の超特急の時間差に匹敵するものと言えるのであって、この付加価値はミシンが発明されて以来追求され続けて来た理想の実現を得たと言える価値の創出であって、この意味で上記発明上の効果は多大である。
【図面の簡単な説明】
【０００７】
【図１】不回転の内釜の上面図
【図２】図１の裏面図
【図３】外側回転釜に内釜を嵌合せしめた上面図
【図４】図３Ａ−Ａの間の断面図
【図５】外側回転釜の部分を断面断片にした下糸誘導子の側面図
【図６】不回転内釜をはずした外側回転釜の上面図    下糸のコースを示した図面
【図７】下糸誘導子の上面図
【図８】図７Ｂ−Ｂ間の断面図
【図９】下糸を通す変形切欠孔の形状と上糸掛先端の位置を示す外側回転釜の側面図
【図１０】下糸のコースを示す上面図
【図１１】下糸のコースを示す側面図
【図１２】「請求項２」の部の下糸引出具の側面図  図中の同一符号は共に同一又は対等の部分を示すものであり、なお図中上部における”点”は針の位置を示したものである。
【符号の説明】
【０００８】１        外側回転釜２        糸引出兼糸掛用変形切欠部３        内部パーツ固定孔４        回転バランス用切欠部５        糸引出用溝６        糸掛用孔７        バネ固定用ネジ孔８        段差付中央孔９        錐形溝１０      円形板１１      下糸摺動調整バネ１２      固定用ネジ孔１３      中央孔１４      糸通溝１５      上位凸部１６      糸引出貫通切欠部１７      糸通溝１８      ネジ孔１９      固定用凸部２０      傾斜部２１      糸リード用凹部２２      固定凸部２３      安定用板状部２４      糸案内切欠部２５      変形凸部付円板２６      糸通孔２７      磁石２８      糸通過溝２９      回転安定円状凸部３０      水平部３１      傾斜部３２      糸引出央孔３３      錐形凸部３４      不回転用凸部３５      先端部３６      針通過用湾状切欠部３７      孔付金属板３８      内側固定釜３９      線４０      柄Ａ−Ｎ’  断面Ｂ−Ｂ’  断面ＩＴＯ    糸Ｎ        ネジＫ        カギ先Ｔ        凸部Ｈ        歯車部分Ｒ        糸リード軸Ｍ        糸リード溝Ｓ        ストッパー
【図１】
2005028088.tif 000003
【図２】
2005028088.tif 000004
【図３】
2005028088.tif 000005
【図４】
2005028088.tif 000006
【図５】
2005028088.tif 000007
【図６】
2005028088.tif 000008
【図７】
2005028088.tif 000009
【図８】
2005028088.tif 000010
【図９】
2005028088.tif 000011
【図１０】
2005028088.tif 000012
【図１１】
2005028088.tif 000013
【図１２】
2005028088.tif 000014